(57)【要約】【課題】プルプリントにおいて設定変更して印刷を行う際のサーバ装置およびネットワークの負荷の増大を抑制できる印刷システムを提供する。【解決手段】印刷システム１は、印刷ジョブを送信する端末装置２と、印刷ジョブをホールドするＭＰＳサーバ３と、印刷ジョブに基づく印刷を実行する印刷装置４とが、ネットワーク５を介して通信可能に接続されたものである。印刷装置４の印刷制御部３７は、実行する印刷ジョブの印刷設定情報における設定内容に対する設定変更が指示された場合、ＭＰＳサーバ３から送信された印刷ジョブに対して設定変更後の設定内容を適用して印刷部３３に印刷を実行させる。【選択図】図１
2015130081.tif 000002
【特許請求の範囲】
【請求項１】
印刷ジョブを送信する端末装置と、印刷ジョブをホールドするサーバ装置と、印刷ジョブに基づく印刷を実行する印刷装置とが、ネットワークを介して通信可能に接続された印刷システムであって、
前記端末装置は、
印刷設定情報を含む印刷ジョブを生成し、生成した印刷ジョブを前記サーバ装置へ送信する印刷ジョブ生成部を備え、
前記サーバ装置は、
前記端末装置から送信された印刷ジョブをホールドするホールド部と、
前記ホールド部にホールドされている印刷ジョブのリストおよび印刷設定情報を含むホールドジョブ情報を、前記印刷装置からのホールドジョブ情報要求信号に応じて前記印刷装置へ送信するとともに、前記印刷装置において選択した印刷ジョブを要求する印刷ジョブ要求信号を受信すると、要求された印刷ジョブを前記印刷装置へ送信する印刷ジョブ管理部とを備え、
前記印刷装置は、
前記ホールドジョブ情報要求信号を前記サーバ装置へ送信するとともに、前記サーバ装置から前記ホールドジョブ情報を受信した後、前記サーバ装置にホールドされている印刷ジョブから実行する印刷ジョブを選択し、選択した印刷ジョブを要求する前記印刷ジョブ要求信号を前記サーバ装置へ送信する印刷ジョブ要求部と、
印刷を実行する印刷部と、
前記サーバ装置から送信された印刷ジョブに基づく印刷を前記印刷部に実行させる印刷制御部とを備え、
前記印刷制御部は、実行する印刷ジョブの印刷設定情報における設定内容に対する設定変更が指示された場合、前記サーバ装置から送信された印刷ジョブに対して設定変更後の設定内容を適用して前記印刷部に印刷を実行させることを特徴とする印刷システム。
【請求項２】
前記端末装置は、
前記ホールドジョブ情報要求信号を前記サーバ装置へ送信するとともに、前記サーバ装置から前記ホールドジョブ情報を受信した後、前記サーバ装置にホールドされている印刷ジョブから実行する印刷ジョブを選択し、選択した印刷ジョブを示す選択ジョブ情報を前記サーバ装置へ送信する印刷ジョブ選択部をさらに備え、
前記印刷ジョブ選択部は、選択した印刷ジョブの印刷設定情報における設定内容に対する設定変更が指示された場合は、設定変更後の設定内容を示す印刷設定変更情報を前記選択ジョブ情報とともに前記サーバ装置へ送信し、
前記サーバ装置の前記印刷ジョブ管理部は、
前記端末装置から前記ホールドジョブ情報要求信号を受信すると、前記ホールドジョブ情報を前記端末装置へ送信するとともに、前記端末装置から前記選択ジョブ情報を受信すると、選択された印刷ジョブを前記印刷装置へ送信し、この際、前記選択ジョブ情報とともに前記印刷設定変更情報を受信した場合は、印刷ジョブとともに前記印刷設定変更情報を前記印刷装置へ送信し、
前記印刷装置の前記印刷制御部は、前記サーバ装置から印刷ジョブとともに前記印刷設定変更情報を受信した場合、印刷ジョブに対して前記印刷設定変更情報における設定内容を適用して前記印刷部に印刷を実行させることを特徴とする請求項１に記載の印刷システム。
【発明の詳細な説明】
【技術分野】
【０００１】
本発明は、プルプリントを行う印刷システムに関する。
【背景技術】
【０００２】
いわゆる「プルプリント」を行う印刷システムが知られている。プルプリントは、端末装置から送信された印刷ジョブをサーバ装置がホールド（保持）し、サーバ装置にホールドされた印刷ジョブに対して印刷装置から印刷要求を行うことで印刷ジョブに基づく印刷を実行可能とする方式である。
【０００３】
プルプリントを行う印刷システムにおいて、サーバ装置にホールドされた印刷ジョブの印刷設定を変更して印刷するための技術が特許文献１に開示されている。
【０００４】
特許文献１の印刷システムでは、クライアントＰＣが、印刷装置に依存しない中間形式の印刷ジョブを生成し、これをサーバ装置へ送信する。サーバ装置は、中間形式の印刷ジョブを保存する。その後、印刷を実行する際、サーバ装置は、中間形式の印刷ジョブを、印刷装置に応じたＰＤＬ（Page Description Language）形式の印刷ジョブに変換し、これを印刷装置へ送信する。
【０００５】
ここで、印刷する印刷ジョブに対して、ユーザにより設定変更が指示された場合、印刷装置は、設定変更をサーバ装置へ通知する。サーバ装置は、中間形式の印刷ジョブを、変更後の設定を用いてＰＤＬ形式の印刷ジョブに変換する。サーバ装置は、この印刷ジョブを印刷装置へ送信する。印刷装置は、印刷ジョブを受信すると、印刷を実行する。これにより、設定変更した印刷が実現される。
【先行技術文献】
【特許文献】
【０００６】
【特許文献１】特開２０１２−７８９９９号公報
【発明の概要】
【発明が解決しようとする課題】
【０００７】
上述のように、特許文献１の印刷システムでは、設定変更して印刷する場合、サーバ装置は、中間形式の印刷ジョブからＰＤＬ形式の印刷ジョブへの変換を、設定変更前と設定変更後とで２回行う。このため、サーバ装置の負荷が大きくなる。
【０００８】
また、特許文献１の印刷システムでは、設定変更して印刷する場合、サーバ装置から印刷装置への印刷ジョブの送信も、設定変更前と設定変更後とで２回行う。このため、ネットワークの負荷が大きくなる。
【０００９】
本発明は上記に鑑みてなされたもので、プルプリントにおいて設定変更して印刷を行う際のサーバ装置およびネットワークの負荷の増大を抑制できる印刷システムを提供することを目的とする。
【課題を解決するための手段】
【００１０】
上記目的を達成するため、本発明に係る印刷システムの第１の特徴は、印刷ジョブを送信する端末装置と、印刷ジョブをホールドするサーバ装置と、印刷ジョブに基づく印刷を実行する印刷装置とが、ネットワークを介して通信可能に接続された印刷システムであって、前記端末装置は、印刷設定情報を含む印刷ジョブを生成し、生成した印刷ジョブを前記サーバ装置へ送信する印刷ジョブ生成部を備え、前記サーバ装置は、前記端末装置から送信された印刷ジョブをホールドするホールド部と、前記ホールド部にホールドされている印刷ジョブのリストおよび印刷設定情報を含むホールドジョブ情報を、前記印刷装置からのホールドジョブ情報要求信号に応じて前記印刷装置へ送信するとともに、前記印刷装置において選択した印刷ジョブを要求する印刷ジョブ要求信号を受信すると、要求された印刷ジョブを前記印刷装置へ送信する印刷ジョブ管理部とを備え、前記印刷装置は、前記ホールドジョブ情報要求信号を前記サーバ装置へ送信するとともに、前記サーバ装置から前記ホールドジョブ情報を受信した後、前記サーバ装置にホールドされている印刷ジョブから実行する印刷ジョブを選択し、選択した印刷ジョブを要求する前記印刷ジョブ要求信号を前記サーバ装置へ送信する印刷ジョブ要求部と、印刷を実行する印刷部と、前記サーバ装置から送信された印刷ジョブに基づく印刷を前記印刷部に実行させる印刷制御部とを備え、前記印刷制御部は、実行する印刷ジョブの印刷設定情報における設定内容に対する設定変更が指示された場合、前記サーバ装置から送信された印刷ジョブに対して設定変更後の設定内容を適用して前記印刷部に印刷を実行させることにある。
【００１１】
本発明に係る印刷システムの第２の特徴は、前記端末装置は、前記ホールドジョブ情報要求信号を前記サーバ装置へ送信するとともに、前記サーバ装置から前記ホールドジョブ情報を受信した後、前記サーバ装置にホールドされている印刷ジョブから実行する印刷ジョブを選択し、選択した印刷ジョブを示す選択ジョブ情報を前記サーバ装置へ送信する印刷ジョブ選択部をさらに備え、前記印刷ジョブ選択部は、選択した印刷ジョブの印刷設定情報における設定内容に対する設定変更が指示された場合は、設定変更後の設定内容を示す印刷設定変更情報を前記選択ジョブ情報とともに前記サーバ装置へ送信し、前記サーバ装置の前記印刷ジョブ管理部は、前記端末装置から前記ホールドジョブ情報要求信号を受信すると、前記ホールドジョブ情報を前記端末装置へ送信するとともに、前記端末装置から前記選択ジョブ情報を受信すると、選択された印刷ジョブを前記印刷装置へ送信し、この際、前記選択ジョブ情報とともに前記印刷設定変更情報を受信した場合は、印刷ジョブとともに前記印刷設定変更情報を前記印刷装置へ送信し、前記印刷装置の前記印刷制御部は、前記サーバ装置から印刷ジョブとともに前記印刷設定変更情報を受信した場合、印刷ジョブに対して前記印刷設定変更情報における設定内容を適用して前記印刷部に印刷を実行させることにある。
【発明の効果】
【００１２】
本発明に係る印刷システムの第１の特徴によれば、印刷ジョブに対する設定変更が指示された場合、印刷装置の印刷制御部が、サーバ装置から送信された印刷ジョブに対して設定変更後の設定内容を適用して印刷部に印刷を実行させる。このため、サーバ装置が設定変更に応じて印刷ジョブを変換する必要はない。これにより、サーバ装置の負荷の増大を抑制できる。また、設定変更する場合でも、データ量が大きい印刷ジョブのサーバ装置から印刷装置への送信が１回で済む。このため、ネットワークの負荷の増大を抑制できる。したがって、印刷システムによれば、プルプリントにおいて設定変更して印刷を行う際のサーバ装置およびネットワークの負荷の増大を抑制できる。
【００１３】
本発明に係る印刷システムの第２の特徴によれば、サーバ装置にホールドされている印刷ジョブから実行する印刷ジョブをユーザ操作に応じて選択し、選択ジョブ情報をサーバ装置へ送信する印刷ジョブ選択部を備える。印刷ジョブ選択部は、選択した印刷ジョブの印刷設定情報における設定内容に対する設定変更が指示された場合は、印刷設定変更情報を選択ジョブ情報とともにサーバ装置へ送信する。これにより、サーバ装置にホールドされている印刷ジョブに対する印刷要求を端末装置から行うことができる。また、この際、設定変更の指示も端末装置から行うことができる。したがって、ユーザの利便性が向上する。
【図面の簡単な説明】
【００１４】
【図１】第１の実施の形態に係る印刷システムの構成を示すブロック図である。
【図２】図１に示す印刷システムにおいてプルプリントを実行する処理のフローチャートである。
【図３】図１に示す印刷システムにおいてプルプリントを実行する処理のフローチャートである。
【図４】ホールドジョブ一覧画面を示す図である。
【図５】ホールドジョブ設定変更画面を示す図である。
【図６】第２の実施の形態に係る印刷システムの構成を示すブロック図である。
【図７】図６に示す印刷システムにおいて端末装置で印刷ジョブの選択を受け付けて印刷を実行する処理のフローチャートである。
【図８】図６に示す印刷システムにおいて端末装置で印刷ジョブの選択を受け付けて印刷を実行する処理のフローチャートである。
【図９】図６に示す印刷システムにおいて端末装置で印刷ジョブの選択を受け付けて印刷を実行する処理のフローチャートである。
【発明を実施するための形態】
【００１５】
以下、本発明の実施の形態について、図面を参照して説明する。なお、各図面を通じて同一もしくは同等の部位や構成要素には、同一もしくは同等の符号を付し、その説明を省略もしくは簡略化する。
【００１６】
（第１の実施の形態）
図１は、本発明の第１の実施の形態に係る印刷システムの構成を示すブロック図である。
【００１７】
図１に示すように、第１の実施の形態に係る印刷システム１は、少なくとも１つの端末装置２と、ＭＰＳ（Managed Print Service）サーバ（請求項のサーバ装置に相当）３と、印刷装置４とを備える。端末装置２とＭＰＳサーバ３と印刷装置４とは、ネットワーク５を介して通信可能に接続されている。ネットワーク５は、例えば、ＬＡＮ（Local Area Network）からなる。
【００１８】
端末装置２は、印刷ジョブをＭＰＳサーバ３へ送信する。端末装置２は、例えば、パーソナルコンピュータからなる。端末装置２は、制御部１１と、記憶部１２と、入力部１３と、表示部１４と、通信処理部１５とを備える。
【００１９】
制御部１１は、端末装置２全体の動作を制御する。制御部１１は、プログラムを実行するＣＰＵを有する。ＣＰＵが記憶部１２に記憶されているプリンタドライバプログラムを実行することにより、印刷ジョブ生成部１６が構成される。
【００２０】
印刷ジョブ生成部１６は、ＰＤＬ形式の印刷ジョブを生成し、生成した印刷ジョブを、通信処理部１５を介してＭＰＳサーバ３へ送信する。
【００２１】
印刷ジョブには、画像情報が含まれる。また、印刷ジョブには、印刷設定情報が含まれる。印刷設定情報には、カラー設定、片面／両面設定、レイアウト設定等の設定内容が含まれる。また、印刷設定情報には、リリース（ＭＰＳサーバ３から印刷装置４への印刷ジョブの送信）後にＭＰＳサーバ３からのジョブ削除を行うか否かの設定内容も含まれる。また、印刷ジョブには、ジョブ情報が含まれる。ジョブ情報には、ジョブ名、印刷ジョブのオーナーであるユーザ名、ページ数等の情報が含まれる。
【００２２】
記憶部１２は、印刷装置４に対応するプリンタドライバプログラムを含む各種のプログラム等を記憶する。記憶部１２は、ハードディスク等からなる。
【００２３】
入力部１３は、ユーザによる入力操作を受け付け、操作に応じた操作信号を出力する。入力部１３は、キーボード、マウス等を有する。
【００２４】
表示部１４は、画像を表示する。表示部１４は、液晶表示装置等からなる。
【００２５】
通信処理部１５は、端末装置２をネットワーク５に接続する。これにより、端末装置２がＭＰＳサーバ３等の外部機器と通信可能となる。
【００２６】
ＭＰＳサーバ３は、印刷システム１におけるプルプリントを実現するためのものである。具体的には、ＭＰＳサーバ３は、端末装置２から送信された印刷ジョブをホールド（保持）する。ホールドしている印刷ジョブに対する印刷装置４からの印刷要求を受けると、ＭＰＳサーバ３は、要求された印刷ジョブを印刷装置４へ送信する。
【００２７】
また、ＭＰＳサーバ３は、印刷システム１における印刷管理を行う。具体的には、ＭＰＳサーバ３は、主に、課金管理を行う。
【００２８】
ＭＰＳサーバ３は、制御部２１と、記憶部（請求項のホールド部に相当）２２と、通信処理部２３とを備える。
【００２９】
制御部２１は、ＭＰＳサーバ３全体の動作を制御する。制御部２１は、プログラムを実行するＣＰＵを有する。ＣＰＵが記憶部２２に記憶されているジョブ管理用のプログラムを実行することにより、印刷ジョブ管理部２６が構成される。
【００３０】
印刷ジョブ管理部２６は、端末装置２から送信された印刷ジョブを受信すると、これを記憶部２２にホールドさせる。また、印刷ジョブ管理部２６は、印刷ジョブを解析し、印刷設定情報およびジョブ情報を抽出し、これらを記憶部２２に記憶させる。
【００３１】
また、印刷ジョブ管理部２６は、印刷装置４からのホールドジョブ情報要求信号を受信すると、要求されたユーザのホールドジョブ情報を、ホールドジョブ情報要求信号の送信元の印刷装置４へ返信する。ホールドジョブ情報には、記憶部２２にホールドされている該当ユーザの印刷ジョブのリストおよび各印刷ジョブの印刷設定情報が含まれる。印刷ジョブのリストには、各印刷ジョブのジョブ名、ページ数、ＭＰＳサーバ３での受信日時、課金額（印刷料金）が含まれる。ホールドジョブ情報は、印刷ジョブにおける画像情報を含まないメタデータであるため、そのデータ量は小さい。
【００３２】
また、印刷ジョブ管理部２６は、印刷装置４から印刷ジョブ要求信号を受信すると、要求された印刷ジョブを印刷装置４へ送信する。
【００３３】
また、印刷ジョブ管理部２６は、印刷設定情報およびジョブ情報を用いて、印刷ジョブにおける課金額を計算する。課金額は、カラー設定、印刷枚数等に応じた金額となる。印刷装置４においてユーザにより設定変更が指示され、印刷装置４から設定変更後の設定内容を示す印刷設定変更情報を受信した場合、印刷ジョブ管理部２６は、設定変更後の設定内容に応じた課金額を再計算する。印刷ジョブ管理部２６は、各印刷ジョブの課金額を記憶部２２に記憶させる。また、印刷ジョブ管理部２６は、ユーザごとの残金を計算し、これを記憶部２２に記憶させる。
【００３４】
記憶部２２は、印刷ジョブをホールドする。また、記憶部２２は、各印刷ジョブの印刷設定情報およびジョブ情報を記憶する。また、記憶部２２は、各印刷ジョブの課金額、ユーザごとの残金等を記憶する。また、記憶部２２は、ジョブ管理用のプログラムを記憶する。記憶部２２は、ハードディスク等からなる。
【００３５】
通信処理部２３は、ＭＰＳサーバ３をネットワーク５に接続する。これにより、ＭＰＳサーバ３が、端末装置２、印刷装置４等の外部機器と通信可能となる。
【００３６】
印刷装置４は、印刷ジョブに基づく印刷を実行する。印刷装置４は、制御部３１と、記憶部３２と、印刷部３３と、操作パネル部３４と、通信処理部３５とを備える。
【００３７】
制御部３１は、印刷装置４全体の動作を制御する。制御部３１は、プログラムを実行するＣＰＵを有する。ＣＰＵが記憶部３２に記憶されているプログラムを実行することにより、印刷ジョブ要求部３６と、印刷制御部３７とが構成される。
【００３８】
印刷ジョブ要求部３６は、ユーザ操作に応じて、ホールドジョブ情報を要求するためのホールドジョブ情報要求信号をＭＰＳサーバ３へ送信する。ＭＰＳサーバ３からホールドジョブ情報を受信すると、印刷ジョブ要求部３６は、ホールドジョブ情報に基づき、後述する図４のホールドジョブ一覧画面４０を表示部３９に表示させる。
【００３９】
印刷ジョブ要求部３６は、ホールドジョブ一覧画面４０に対するユーザ操作に応じて、ＭＰＳサーバ３にホールドされている印刷ジョブから実行する印刷ジョブを選択し、選択した印刷ジョブを要求する印刷ジョブ要求信号をＭＰＳサーバ３へ送信する。また、印刷ジョブ要求部３６は、選択した印刷ジョブの印刷設定情報における設定内容に対する設定変更が指示された場合、印刷ジョブ要求信号とともに印刷設定変更情報をＭＰＳサーバ３へ送信する。
【００４０】
印刷制御部３７は、ＭＰＳサーバ３から送信された印刷ジョブに基づく印刷を印刷部３３に実行させる。印刷制御部３７は、設定変更がある場合、ＭＰＳサーバ３から送信された印刷ジョブに対して設定変更後の設定内容を適用して印刷部３３に印刷を実行させる。
【００４１】
記憶部３２は、各種のプログラム等を記憶する。記憶部３２は、ハードディスク等からなる。
【００４２】
印刷部３３は、印刷を実行する。印刷部３３は、例えば、インクジェット方式の印刷機構を有する。
【００４３】
操作パネル部３４は、入力操作を受け付けるとともに、各種の画面等を表示する。操作パネル部３４は、入力部３８と、表示部３９とを備える。
【００４４】
入力部３８は、ユーザによる入力操作を受け付け、操作に応じた操作信号を出力する。入力部３８は、各種の操作キー、タッチパネル等を有する。
【００４５】
表示部３９は、後述する図４のホールドジョブ一覧画面４０等の各種の画面等を表示する。表示部３９は、液晶表示パネル等を有する。
【００４６】
通信処理部３５は、印刷装置４をネットワーク５に接続する。これにより、印刷装置４が、ＭＰＳサーバ３等の外部機器と通信可能となる。
【００４７】
次に、印刷システム１の動作について説明する。
【００４８】
端末装置２において、ユーザの入力部１３に対する操作により印刷が指示されると、印刷ジョブ生成部１６は、ＰＤＬ形式の印刷ジョブを生成する。この後、印刷ジョブ生成部１６は、生成した印刷ジョブを、通信処理部１５を介してＭＰＳサーバ３へ送信する。
【００４９】
ＭＰＳサーバ３の印刷ジョブ管理部２６は、端末装置２から送信された印刷ジョブを受信すると、その印刷ジョブを記憶部２２にホールドさせる。この際、印刷ジョブ管理部２６は、印刷ジョブを解析し、印刷設定情報およびジョブ情報を抽出し、これらを記憶部２２に記憶させる。また、印刷ジョブ管理部２６は、印刷設定情報およびジョブ情報を用いて、印刷ジョブにおける課金額を計算し、その結果を記憶部２２に記憶させる。
【００５０】
ＭＰＳサーバ３にホールドされた印刷ジョブによる印刷は、プルプリントにより実行される。すなわち、ＭＰＳサーバ３にホールドされた印刷ジョブに対するユーザの指示に応じた印刷装置４からの印刷要求により印刷が実行される。印刷システム１におけるプルプリントを実行する処理について、図２、図３のフローチャートを参照して説明する。
【００５１】
図２のステップＳ１において、印刷装置４の印刷ジョブ要求部３６は、ユーザの入力部３８に対する操作により、ホールドジョブ一覧の表示を指示されたか否かを判断する。
【００５２】
ここで、プルプリントを行う際、ユーザが、印刷装置４にログインする操作を行う。ログインが許可されると、ユーザが、ホールドジョブ一覧を表示部３９に表示させるための操作を行う。ステップＳ１では、この操作が行われたか否かが判断される。
【００５３】
ホールドジョブ一覧の表示の指示はされていないと判断した場合（ステップＳ１：ＮＯ）、印刷ジョブ要求部３６は、ステップＳ１を繰り返す。
【００５４】
ホールドジョブ一覧の表示を指示されたと判断した場合（ステップＳ１：ＹＥＳ）、ステップＳ２において、印刷ジョブ要求部３６は、ホールドジョブ情報要求信号をＭＰＳサーバ３へ送信する。このホールドジョブ情報要求信号は、印刷装置４にログイン中のユーザの印刷ジョブの一覧をＭＰＳサーバ３に要求するためのものである。
【００５５】
次いで、ステップＳ３において、ＭＰＳサーバ３の印刷ジョブ管理部２６は、ホールドジョブ情報要求信号を受信すると、要求されたユーザのホールドジョブ情報を印刷装置４へ送信する。
【００５６】
次いで、ステップＳ４において、印刷装置４の印刷ジョブ要求部３６は、ホールドジョブ情報を受信すると、図４に示すホールドジョブ一覧画面４０を表示部３９に表示させる。
【００５７】
図４に示すように、ホールドジョブ一覧画面４０には、ジョブ一覧表示部４１と、設定変更ボタン４２と、リリースボタン４３と、ジョブ削除ボタン４４とが表示される。
【００５８】
ジョブ一覧表示部４１には、ＭＰＳサーバ３にホールドされているログイン中のユーザの各印刷ジョブのジョブ名、ページ数、ＭＰＳサーバ３での受信日時、課金額が表示される。ジョブ一覧表示部４１から実行する印刷ジョブがユーザにより選択される。なお、図４では、ジョブ一覧表示部４１の最上段の印刷ジョブが選択されている状態を示している。
【００５９】
設定変更ボタン４２は、ジョブ一覧表示部４１において選択された印刷ジョブに対する設定変更の指示を受け付けるためのボタンである。設定変更ボタン４２が押下されると、表示部３９の表示が後述する図５のホールドジョブ設定変更画面５０に切り替わる。
【００６０】
リリースボタン４３は、ジョブ一覧表示部４１において選択された印刷ジョブに対するリリース（ＭＰＳサーバ３から印刷装置４への印刷ジョブの送信）の指示を受け付けるためのボタンである。
【００６１】
ジョブ削除ボタン４４は、ジョブ一覧表示部４１において選択された印刷ジョブに対する削除の指示を受け付けるためのボタンである。
【００６２】
図２に戻り、ステップＳ４に続いて、ステップＳ５において、印刷装置４の印刷ジョブ要求部３６は、ジョブ一覧表示部４１から印刷ジョブが選択されたか否かを判断する。印刷ジョブが選択されていないと判断した場合（ステップＳ５：ＮＯ）、印刷ジョブ要求部３６は、ステップＳ５を繰り返す。
【００６３】
印刷ジョブが選択されたと判断した場合（ステップＳ５：ＹＥＳ）、ステップＳ６において、印刷ジョブ要求部３６は、設定変更ボタン４２が押下されたか否かを判断する。
【００６４】
設定変更ボタン４２が押下されていないと判断した場合（ステップＳ６：ＮＯ）、ステップＳ７において、印刷ジョブ要求部３６は、リリースボタン４３が押下されたか否かを判断する。リリースボタン４３が押下されたと判断した場合（ステップＳ７：ＹＥＳ）、印刷ジョブ要求部３６は、図３のステップＳ１３へ進む。
【００６５】
リリースボタン４３が押下されていないと判断した場合（ステップＳ７：ＮＯ）、ステップＳ８において、印刷ジョブ要求部３６は、ジョブ削除ボタン４４が押下されたか否かを判断する。ジョブ削除ボタン４４が押下されていないと判断した場合（ステップＳ８：ＮＯ）、印刷ジョブ要求部３６は、ステップＳ６へ戻る。
【００６６】
ジョブ削除ボタン４４が押下されたと判断した場合（ステップＳ８：ＹＥＳ）、ステップＳ９において、印刷ジョブ要求部３６は、ジョブ一覧表示部４１において選択された印刷ジョブの削除を指示するための削除指示信号をＭＰＳサーバ３へ送信する。
【００６７】
次いで、ステップＳ１０において、ＭＰＳサーバ３の印刷ジョブ管理部２６は、削除指示信号を受信すると、指示された印刷ジョブを記憶部２２から削除する。これにより、一連の処理が終了となる。
【００６８】
ステップＳ６において、設定変更ボタン４２が押下されたと判断した場合（ステップＳ６：ＹＥＳ）、ステップＳ１１において、印刷ジョブ要求部３６は、図５に示すホールドジョブ設定変更画面５０を表示部３９に表示させる。
【００６９】
図５に示すように、ホールドジョブ設定変更画面５０には、設定内容表示部５１と、変更決定ボタン５２と、キャンセルボタン５３とが表示される。
【００７０】
設定内容表示部５１には、設定項目ごとに設定内容の選択肢からいずれかを選択するための複数の選択ボタン５６が表示される。設定内容として選択されている選択肢の選択ボタン５６が、変色して表示（図５では黒地に白文字で表示）される。ホールドジョブ情報の受信後に最初にホールドジョブ一覧画面４０からホールドジョブ設定変更画面５０に切り替わった時点においては、設定内容表示部５１は、ＭＰＳサーバ３から送信されたホールドジョブ情報に含まれる該当印刷ジョブの印刷設定情報における設定内容を反映した表示となる。ユーザが選択ボタン５６を押下することで、印刷ジョブの印刷設定情報における設定内容に対する設定変更を指示できる。
【００７１】
なお、図５では、代表的な設定項目を設定内容表示部５１に表示しているが、設定内容表示部５１に表示する設定項目はこれらに限らない。
【００７２】
変更決定ボタン５２は、ユーザからの設定変更決定の指示を受け付けるためのボタンである。変更決定ボタン５２の押下時点において、設定内容表示部５１の各設定項目において選択されている選択肢が、設定変更後の設定内容となる。
【００７３】
キャンセルボタン５３は、ユーザからの設定変更をキャンセルする指示を受け付けるためのボタンである。
【００７４】
図２に戻り、ステップＳ１１に続いて、ステップＳ１２において、印刷ジョブ要求部３６は、変更決定ボタン５２またはキャンセルボタン５３が押下されたか否かを判断する。変更決定ボタン５２もキャンセルボタン５３も押下されていないと判断した場合（ステップＳ１２：ＮＯ）、印刷ジョブ要求部３６は、ステップＳ１２を繰り返す。
【００７５】
変更決定ボタン５２またはキャンセルボタン５３が押下されたと判断した場合（ステップＳ１２：ＹＥＳ）、印刷ジョブ要求部３６は、ステップＳ４に戻り、表示部３９の表示をホールドジョブ設定変更画面５０からホールドジョブ一覧画面４０に戻す。ここで、ホールドジョブ設定変更画面５０からホールドジョブ一覧画面４０へ戻った場合、ホールドジョブ一覧画面４０からホールドジョブ設定変更画面５０への切り替えの際に選択されていた印刷ジョブが引き続き選択されている状態である。このため、ユーザが改めて印刷ジョブを選択する操作を行わなくても、ステップＳ４に続くステップＳ５では、印刷ジョブが選択されている（ＹＥＳ）と判断される。なお、ユーザは、選択する印刷ジョブを変更することもできる。
【００７６】
ステップＳ７において、リリースボタン４３が押下されたと判断した場合（ステップＳ７：ＹＥＳ）、図３のステップＳ１３において、印刷ジョブ要求部３６は、ユーザ操作により選択された印刷ジョブに対する設定変更があるか否かを判断する。ここで、印刷ジョブ要求部３６は、当該印刷ジョブに対してホールドジョブ設定変更画面５０から設定変更が指示された場合、設定変更があると判断する。
【００７７】
設定変更があると判断した場合（ステップＳ１３：ＹＥＳ）、ステップＳ１４において、印刷ジョブ要求部３６は、印刷ジョブ要求信号および印刷設定変更情報をＭＰＳサーバ３へ送信する。ここで、印刷ジョブ要求部３６は、ホールドジョブ一覧画面４０においてユーザ操作により選択された印刷ジョブを、実行する印刷ジョブとして選択する。印刷ジョブ要求信号は、その印刷ジョブをＭＰＳサーバ３に要求するためのものである。印刷設定変更情報は、設定変更後の設定内容を示す情報である。
【００７８】
次いで、ステップＳ１５において、ＭＰＳサーバ３の印刷ジョブ管理部２６は、印刷ジョブ要求信号および印刷設定変更情報を受信すると、要求された印刷ジョブの設定変更後の設定内容に応じた課金額を再計算する。この後、印刷ジョブ管理部２６は、ステップＳ１７へ進む。
【００７９】
一方、ステップＳ１３において、設定変更がないと判断した場合（ステップＳ１３：ＮＯ）、ステップＳ１６において、印刷装置４の印刷ジョブ要求部３６は、印刷ジョブ要求信号をＭＰＳサーバ３へ送信する。この後、ステップＳ１７へ処理が進む。
【００８０】
ステップＳ１７では、ＭＰＳサーバ３の印刷ジョブ管理部２６は、要求された印刷ジョブを印刷装置４へ送信する。
【００８１】
次いで、ステップＳ１８において、印刷ジョブ管理部２６は、ステップＳ１７で送信した印刷ジョブのユーザの残金を更新する。具体的には、印刷ジョブ管理部２６は、送信した印刷ジョブの課金額を、当該印刷ジョブのユーザの残金から減算し、得られた結果を新たな残金とする。ここで、当該印刷ジョブに対して設定変更がある場合は、ステップＳ１５で再計算した課金額を用いて残金を更新する。
【００８２】
次いで、ステップＳ１９において、印刷ジョブ管理部２６は、ステップＳ１７で送信した印刷ジョブの印刷設定情報に基づき、当該印刷ジョブがリリース後のジョブ削除をする設定であるか否かを判断する。設定変更がある場合は、印刷ジョブ管理部２６は、印刷設定変更情報に基づき判断する。
【００８３】
リリース後のジョブ削除をする設定であると判断した場合（ステップＳ１９：ＹＥＳ）、ステップＳ２０において、印刷ジョブ管理部２６は、ステップＳ１７で送信した印刷ジョブを記憶部２２から削除する。この後、ステップＳ２１へ処理が進む。リリース後のジョブ削除をしない設定であると印刷ジョブ管理部２６が判断した場合（ステップＳ１９：ＮＯ）、ステップＳ２０が省略され、ステップＳ２１へ処理が進む。
【００８４】
ステップＳ２１では、印刷装置４の印刷ジョブ要求部３６は、印刷ジョブを受信すると、当該印刷ジョブに対する設定変更があるか否かを判断する。印刷ジョブ要求部３６は、当該印刷ジョブを要求する際にホールドジョブ設定変更画面５０から設定変更が指示された場合、設定変更があると判断する。
【００８５】
設定変更があると印刷ジョブ要求部３６が判断した場合（ステップＳ２１：ＹＥＳ）、ステップＳ２２において、印刷制御部３７は、ＭＰＳサーバ３からの印刷ジョブに対して設定変更後の設定内容を適用して印刷部３３に印刷を実行させる。これにより、一連の処理が終了となる。
【００８６】
設定変更がないと印刷ジョブ要求部３６が判断した場合（ステップＳ２１：ＮＯ）、ステップＳ２３において、印刷制御部３７は、設定変更なしで印刷部３３に印刷を実行させる。これにより、一連の処理が終了となる。
【００８７】
以上説明したように、印刷システム１では、プルプリントにおいて設定変更が指示された場合、印刷装置４の印刷制御部３７が、ＭＰＳサーバ３から送信された印刷ジョブに対して設定変更後の設定内容を適用して印刷部３３に印刷を実行させる。このため、ＭＰＳサーバ３が設定変更に応じて印刷ジョブを変換する必要はない。これにより、ＭＰＳサーバ３の負荷の増大を抑制できる。また、設定変更する場合でも、データ量が大きい印刷ジョブのＭＰＳサーバ３から印刷装置４への送信が１回で済む。このため、ネットワーク５の負荷の増大を抑制できる。したがって、印刷システム１によれば、プルプリントにおいて設定変更して印刷を行う際のＭＰＳサーバ３およびネットワーク５の負荷の増大を抑制できる。
【００８８】
また、印刷システム１では、ＭＰＳサーバ３の記憶部２２は、印刷装置４へ送信された印刷ジョブを継続保持可能である。具体的には、リリース後のジョブ削除をしない設定の場合、ＭＰＳサーバ３の印刷ジョブ管理部２６は、印刷装置４へ送信（リリース）した印刷ジョブの記憶部２２からの削除（ステップＳ２０）を省略する。すなわち、この場合、リリース後の印刷ジョブが記憶部２２に継続保持される。これにより、印刷が実行された印刷ジョブでも再印刷が可能となる。
【００８９】
（第２の実施の形態）
図６は、本発明の第２の実施の形態に係る印刷システムの構成を示すブロック図である。
【００９０】
図６に示すように、第２の実施の形態に係る印刷システム１Ａは、前述した第１の実施の形態における印刷システム１の端末装置２を、端末装置２Ａに置き換えた構成である。
【００９１】
端末装置２Ａは、第１の実施の形態における印刷システム１の端末装置２に対し、制御部１１に印刷ジョブ選択部１７を追加した構成である。
【００９２】
印刷ジョブ選択部１７は、ユーザ操作に応じて、ホールドジョブ情報要求信号をＭＰＳサーバ３へ送信する。ＭＰＳサーバ３からホールドジョブ情報を受信すると、印刷ジョブ選択部１７は、ホールドジョブ情報に基づき、ホールドジョブ一覧画面を表示部１４に表示させる。ここで表示部１４に表示されるホールドジョブ一覧画面は、第１の実施の形態で説明した図４のホールドジョブ一覧画面４０と同等のものであるため、第２の実施の形態でも図４のホールドジョブ一覧画面４０を用いて説明する。
【００９３】
印刷ジョブ選択部１７は、ホールドジョブ一覧画面４０に対するユーザ操作に応じて、ＭＰＳサーバ３にホールドされている印刷ジョブから実行する印刷ジョブを選択し、選択した印刷ジョブを示す選択ジョブ情報をＭＰＳサーバ３へ送信する。また、印刷ジョブ選択部１７は、選択した印刷ジョブの印刷設定情報における設定内容に対する設定変更が指示された場合、印刷設定変更情報を選択ジョブ情報とともにＭＰＳサーバ３へ送信する。
【００９４】
ＭＰＳサーバ３の印刷ジョブ管理部２６は、端末装置２Ａからホールドジョブ情報要求信号を受信すると、ホールドジョブ情報を端末装置２Ａへ送信する。また、印刷ジョブ管理部２６は、端末装置２Ａから選択ジョブ情報を受信すると、選択された印刷ジョブを印刷装置４へ送信する。選択ジョブ情報とともに印刷設定変更情報を受信した場合は、印刷ジョブ管理部２６は、印刷ジョブとともに印刷設定変更情報を印刷装置４へ送信する。
【００９５】
印刷装置４の印刷制御部３７は、ＭＰＳサーバ３から印刷ジョブとともに印刷設定変更情報を受信した場合、印刷ジョブに対して印刷設定変更情報における設定内容を適用した印刷を印刷部３３に実行させる。
【００９６】
印刷システム１Ａでは、ＭＰＳサーバ３にホールドされた印刷ジョブから印刷を実行する印刷ジョブの選択を、端末装置２Ａにおいて受け付けることができる。また、実行する印刷ジョブに対する設定変更も端末装置２Ａにおいて受け付けることができる。なお、印刷システム１Ａにおいても、前述した第１の実施の形態の印刷システム１と同様に、印刷装置４において印刷ジョブの選択および設定変更を受け付けて印刷を実行することもできる。
【００９７】
印刷システム１Ａにおいて端末装置２Ａで印刷ジョブの選択を受け付けて印刷を実行する処理について、図７〜図９のフローチャートを参照して説明する。
【００９８】
図７のステップＳ３１において、端末装置２Ａの印刷ジョブ選択部１７は、ユーザの入力部１３に対する操作により、ホールドジョブ一覧の表示を指示されたか否かを判断する。ホールドジョブ一覧の表示の指示はされていないと判断した場合（ステップＳ３１：ＮＯ）、印刷ジョブ選択部１７は、ステップＳ３１を繰り返す。
【００９９】
ホールドジョブ一覧の表示を指示されたと判断した場合（ステップＳ３１：ＹＥＳ）、ステップＳ３２において、印刷ジョブ選択部１７は、ホールドジョブ情報要求信号をＭＰＳサーバ３へ送信する。このホールドジョブ情報要求信号は、端末装置２Ａにログイン中のユーザの印刷ジョブの一覧をＭＰＳサーバ３に要求するためのものである。
【０１００】
次いで、ステップＳ３３において、ＭＰＳサーバ３の印刷ジョブ管理部２６は、端末装置２Ａからのホールドジョブ情報要求信号を受信すると、端末装置２Ａにログイン中のユーザのホールドジョブ情報を端末装置２Ａへ送信する。
【０１０１】
次いで、ステップＳ３４において、端末装置２Ａの印刷ジョブ選択部１７は、ホールドジョブ情報を受信すると、図４に示すホールドジョブ一覧画面４０を表示部１４に表示させる。
【０１０２】
次いで、ステップＳ３５において、印刷ジョブ選択部１７は、ホールドジョブ一覧画面４０のジョブ一覧表示部４１から印刷ジョブが選択されたか否かを判断する。印刷ジョブが選択されていないと判断した場合（ステップＳ３５：ＮＯ）、印刷ジョブ選択部１７は、ステップＳ３５を繰り返す。
【０１０３】
印刷ジョブが選択されたと判断した場合（ステップＳ３５：ＹＥＳ）、ステップＳ３６において、印刷ジョブ選択部１７は、設定変更ボタン４２が押下されたか否かを判断する。
【０１０４】
設定変更ボタン４２が押下されていないと判断した場合（ステップＳ３６：ＮＯ）、ステップＳ３７において、印刷ジョブ選択部１７は、リリースボタン４３が押下されたか否かを判断する。リリースボタン４３が押下されたと判断した場合（ステップＳ３７：ＹＥＳ）、印刷ジョブ選択部１７は、図８のステップＳ４３へ進む。
【０１０５】
リリースボタン４３が押下されていないと判断した場合（ステップＳ３７：ＮＯ）、ステップＳ３８において、印刷ジョブ選択部１７は、ジョブ削除ボタン４４が押下されたか否かを判断する。ジョブ削除ボタン４４が押下されていないと判断した場合（ステップＳ３８：ＮＯ）、印刷ジョブ選択部１７は、ステップＳ３６へ戻る。
【０１０６】
ジョブ削除ボタン４４が押下されたと判断した場合（ステップＳ３８：ＹＥＳ）、ステップＳ３９において、印刷ジョブ選択部１７は、ジョブ一覧表示部４１において選択された印刷ジョブの削除を指示する削除指示信号をＭＰＳサーバ３へ送信する。
【０１０７】
次いで、ステップＳ４０において、ＭＰＳサーバ３の印刷ジョブ管理部２６は、端末装置２Ａからの削除指示信号を受信すると、指示された印刷ジョブを記憶部２２から削除する。これにより、一連の処理が終了となる。
【０１０８】
ステップＳ３６において、設定変更ボタン４２が押下されたと判断した場合（ステップＳ３６：ＹＥＳ）、ステップＳ４１において、印刷ジョブ選択部１７は、ホールドジョブ設定変更画面を表示部１４に表示させる。ここで表示部１４に表示されるホールドジョブ設定変更画面は、第１の実施の形態で説明した図５のホールドジョブ設定変更画面５０と同等のものであるため、第２の実施の形態でも図５のホールドジョブ設定変更画面５０を用いて説明する。
【０１０９】
次いで、ステップＳ４２において、印刷ジョブ選択部１７は、変更決定ボタン５２またはキャンセルボタン５３が押下されたか否かを判断する。変更決定ボタン５２もキャンセルボタン５３も押下されていないと判断した場合（ステップＳ４２：ＮＯ）、印刷ジョブ選択部１７は、ステップＳ４２を繰り返す。
【０１１０】
変更決定ボタン５２またはキャンセルボタン５３が押下されたと判断した場合（ステップＳ４２：ＹＥＳ）、印刷ジョブ選択部１７は、ステップＳ３４に戻り、表示部１４の表示をホールドジョブ設定変更画面５０からホールドジョブ一覧画面４０に戻す。ここで、ホールドジョブ設定変更画面５０からホールドジョブ一覧画面４０へ戻った場合、ホールドジョブ一覧画面４０からホールドジョブ設定変更画面５０への切り替えの際に選択されていた印刷ジョブが引き続き選択されている状態である。このため、ユーザが改めて印刷ジョブを選択する操作を行わなくても、ステップＳ３４に続くステップＳ３５では、印刷ジョブが選択されている（ＹＥＳ）と判断される。なお、ユーザは、選択する印刷ジョブを変更することもできる。
【０１１１】
ステップＳ３７において、リリースボタン４３が押下されたと判断した場合（ステップＳ３７：ＹＥＳ）、図８のステップＳ４３において、印刷ジョブ選択部１７は、設定変更があるか否かを判断する。
【０１１２】
設定変更があると判断した場合（ステップＳ４３：ＹＥＳ）、ステップＳ４４において、印刷ジョブ選択部１７は、選択ジョブ情報および印刷設定変更情報をＭＰＳサーバ３へ送信する。ここで、印刷ジョブ選択部１７は、ホールドジョブ一覧画面４０においてユーザ操作により選択された印刷ジョブを、実行する印刷ジョブとして選択する。選択ジョブ情報は、その印刷ジョブを示す情報である。
【０１１３】
次いで、図９のステップＳ４５において、ＭＰＳサーバ３の印刷ジョブ管理部２６は、選択ジョブ情報および印刷設定変更情報を受信すると、選択された印刷ジョブの設定変更後の設定内容に応じた課金額を再計算する。
【０１１４】
次いで、ステップＳ４６において、印刷ジョブ管理部２６は、選択された印刷ジョブを印刷設定変更情報とともに印刷装置４へ送信する。
【０１１５】
次いで、ステップＳ４７において、印刷ジョブ管理部２６は、ステップＳ４５で再計算した課金額を用いて、ステップＳ４６で送信した印刷ジョブのユーザの残金を更新する。
【０１１６】
次いで、ステップＳ４８において、印刷ジョブ管理部２６は、ステップＳ４６で送信した印刷ジョブの印刷設定変更情報に基づき、当該印刷ジョブがリリース後のジョブ削除をする設定であるか否かを判断する。
【０１１７】
リリース後のジョブ削除をする設定であると判断した場合（ステップＳ４８：ＹＥＳ）、ステップＳ４９において、印刷ジョブ管理部２６は、ステップＳ４６で送信した印刷ジョブを記憶部２２から削除する。この後、ステップＳ５０へ処理が進む。リリース後のジョブ削除をしない設定であると印刷ジョブ管理部２６が判断した場合（ステップＳ４８：ＮＯ）、ステップＳ４９が省略され、ステップＳ５０へ処理が進む。
【０１１８】
ステップＳ５０では、印刷装置４の印刷制御部３７は、印刷ジョブおよび印刷設定変更情報を受信すると、印刷ジョブに対して設定変更後の設定内容を適用して印刷部３３に印刷を実行させる。これにより、一連の処理が終了となる。
【０１１９】
一方、図８のステップＳ４３において設定変更がないと判断した場合（ステップＳ４３：ＮＯ）、ステップＳ５１において、端末装置２Ａの印刷ジョブ選択部１７は、選択ジョブ情報をＭＰＳサーバ３へ送信する。
【０１２０】
次いで、図９のステップＳ５２において、ＭＰＳサーバ３の印刷ジョブ管理部２６は、選択された印刷ジョブを印刷装置４へ送信する。
【０１２１】
次いで、ステップＳ５３において、印刷ジョブ管理部２６は、ステップＳ５２で送信した印刷ジョブの課金額を当該印刷ジョブのユーザの残金から減算することで、残金を更新する。
【０１２２】
次いで、ステップＳ５４において、印刷ジョブ管理部２６は、ステップＳ５２で送信した印刷ジョブの印刷設定情報に基づき、当該印刷ジョブがリリース後のジョブ削除をする設定であるか否かを判断する。
【０１２３】
リリース後のジョブ削除をする設定であると判断した場合（ステップＳ５４：ＹＥＳ）、ステップＳ５５において、印刷ジョブ管理部２６は、ステップＳ５２で送信した印刷ジョブを記憶部２２から削除する。この後、ステップＳ５６へ処理が進む。リリース後のジョブ削除をしない設定であると印刷ジョブ管理部２６が判断した場合（ステップＳ５４：ＮＯ）、ステップＳ５５が省略され、ステップＳ５６へ処理が進む。
【０１２４】
ステップＳ５６では、印刷装置４の印刷制御部３７は、印刷ジョブを受信すると、設定変更なしで印刷部３３に印刷を実行させる。これにより、一連の処理が終了となる。
【０１２５】
なお、印刷装置４が印刷ジョブを受信した後、印刷装置４にログインしたユーザの指示により、当該印刷ジョブによる印刷を開始するようにしてもよい。
【０１２６】
以上説明したように、印刷システム１Ａでは、端末装置２Ａが、ＭＰＳサーバ３にホールドされている印刷ジョブから実行する印刷ジョブをユーザ操作に応じて選択し、選択ジョブ情報をＭＰＳサーバ３へ送信する印刷ジョブ選択部１７を備える。印刷ジョブ選択部１７は、選択した印刷ジョブに対する設定変更が指示された場合は、設定変更後の設定内容を示す印刷設定変更情報を選択ジョブ情報とともにＭＰＳサーバ３へ送信する。これにより、印刷システム１Ａでは、ＭＰＳサーバ３にホールドされている印刷ジョブに対する印刷要求を端末装置２Ａから行うことができる。また、この際、設定変更も端末装置２Ａで行うことができる。したがって、ユーザの利便性が向上する。
【０１２７】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。さらに、異なる実施の形態にわたる構成要素を適宜組み合せてもよい。
【符号の説明】
【０１２８】
１，１Ａ  印刷システム
２，２Ａ  端末装置
３  ＭＰＳサーバ
４  印刷装置
５  ネットワーク
１６  印刷ジョブ生成部
１７  印刷ジョブ選択部
２２  記憶部
２６  印刷ジョブ管理部
３３  印刷部
３６  印刷ジョブ要求部
３７  印刷制御部
【図１】
2015130081.tif 000003
【図２】
2015130081.tif 000004
【図３】
2015130081.tif 000005
【図４】
2015130081.tif 000006
【図５】
2015130081.tif 000007
【図６】
2015130081.tif 000008
【図７】
2015130081.tif 000009
【図８】
2015130081.tif 000010
【図９】
2015130081.tif 000011